(57)【特許請求の範囲】
【請求項１】
浴槽の天板面の一部又は傾斜面上部近傍に固定される棒状の支持部材と、該支持部材に着脱自在に嵌合するように取り付けられる弾性を有するヘッドレスト本体とから構成される浴槽用ヘッドレストであって、
前記ヘッドレスト本体は、
前記支持部材への嵌挿を案内する案内部と、前記ヘッドレスト本体の側面のほぼ中央に位置し前記ヘッドレスト本体が嵌挿すると同時にこれを抜止め状態に保持する保持部とからなる切割溝が、長手方向に亘って設けられており、前記案内部には、切割溝の開口から前記保持部に向かって案内面が外開きテーパ状に対向して形成されており、かつ、前記対向して形成されている案内面の間隔が、前記保持部方向に向かって前記支持部材の外径よりも幅狭となるように形成されているとともに、
前記支持部材が、頭部外形に沿うように湾曲していることを特徴とする浴槽用ヘッドレスト。
【請求項２】
前記ヘッドレスト本体が、発泡材により形成されていることを特徴とする請求項１に記載の浴槽用ヘッドレスト。
【請求項３】
前記ヘッドレスト本体の表面に、滑り止め処理がなされていることを特徴とする請求項１または２に記載の浴槽用ヘッドレスト。
【請求項４】
前記ヘッドレスト本体に、振動体が着脱自在に収容されていることを特徴とする請求項１乃至３のいずれかに記載の浴槽用ヘッドレスト。
【請求項５】
前記請求項１乃至４のいずれかに記載された浴槽用ヘッドレストが、浴槽の天板面の一部又は傾斜面上部近傍に取り付けられたことを特徴とするヘッドレスト付き浴槽。
【発明の詳細な説明】
【０００１】
【発明の属する技術分野】
本発明は、入浴者の入浴姿勢を楽にするため浴槽本体に取付けて使用される浴槽用ヘッドレストに関する。
【従来の技術】
【０００２】
近年、比較的浅底の洋式の浴槽等では、入浴者の入浴姿勢を楽にするため、浴槽本体の内面に上部から下部に向けて傾斜する傾斜面（いわゆるバックレスト）が設けられている。
【０００３】
この場合、傾斜面が設けられていない浴槽に入浴した場合と比べると、傾斜面に身体を仰臥して入浴することにより、入浴者の姿勢が全身を伸ばしたリラックスした状態となる。したがって、入浴者においては、入浴中の姿勢の窮屈感が緩和されるようになった。
【０００４】
【発明が解決しようとする課題】
ところで、上述したような従来の浴槽においては、入浴者が傾斜面に仰臥した場合、頭部についても支持を得ようとすると、傾斜面の傾斜に合わせて頭部を必要以上に後方に反らすことが必要となる。したがって、入浴者の姿勢は顎が上がった状態となってしまい、その姿勢を維持し続けると息苦しさを感じてしまう等の問題があった。
【０００５】
また、頭部を傾斜面に沿わせないようにすると、頭部には支持するものがないという状態となる。したがって、この場合には、入浴者は頭部に対して無理な力を加え続ける必要があり、長時間の入浴に際しては不都合があった。
【０００６】
本発明は、このような事情に対処してなされたものであり、浴槽本体内に形成された傾斜面又は天板面の一部に取付けることによって、入浴者の入浴姿勢のより自然な且つ楽な状態の形成が可能な浴槽用ヘッドレスト及び、それを取り付けた浴槽を提供することを目的とする。
【０００７】
【課題を解決するための手段】
本発明は、浴槽用ヘッドレストに関し、本発明の上記目的は、浴槽の天板面の一部又は傾斜面上部近傍に固定される棒状の支持部材と、該支持部材に着脱自在に嵌合するように取り付けられる弾性を有するヘッドレスト本体とから構成される浴槽用ヘッドレストであって、前記ヘッドレスト本体は、前記支持部材への嵌挿を案内する案内部と、前記ヘッドレスト本体の側面のほぼ中央に位置し前記ヘッドレスト本体が嵌挿すると同時にこれを抜止め状態に保持する保持部とからなる切割溝が、長手方向に亘って設けられており、前記案内部には、切割溝の開口から前記保持部に向かって案内面が外開きテーパ状に対向して形成されており、かつ、前記対向して形成されている案内面の間隔が、前記保持部方向に向かって前記支持部材の外径よりも幅狭となるように形成されているとともに、前記支持部材が、頭部外形に沿うように湾曲していることを特徴とする浴槽用ヘッドレストによって達成される。
【０００８】
また、本発明の上記目的は、前記ヘッドレスト本体を発泡材により形成することにより、或いは、前記ヘッドレスト本体の表面に滑り止め処理を施すことにより、或いは、前記ヘッドレスト本体に振動体を着脱自在に収容することによって、より効果的に達成される。
さらに、本発明の上記目的は、前記請求項１乃至４のいずれかに記載された浴槽用ヘッドレストが浴槽の天板面の一部又は傾斜面上部近傍に取り付けられたことを特徴とするヘッドレスト付き浴槽によって達成される。
【０００９】
【発明の実施の形態】
以下、本発明に係る浴槽用ヘッドレストの一実施の形態を図１〜図８に基づいて説明する。
【００１０】
浴槽用ヘッドレスト１は、浴槽本体５０の内面に身体の仰臥可能な傾斜面５１が形成されている浴槽５に取付けされるものであって、頭部を支持するヘッドレスト本体１０と、このヘッドレスト本体１０を浴槽本体５０に取付け可能にする支持部材２０とから概略構成される。
【００１１】
ヘッドレスト本体１０は、少なくとも頭部Ｈの当接する頭部当接部１１が頭部Ｈの外形に沿うような湾曲形状を呈していることが好ましく、本実施の形態においては、ヘッドレスト本体１０の全体が湾曲形状をなして、長い円筒状に形成されている。ヘッドレスト本体１０は、弾性を有する素材により成形することができ、例えばウレタンゴム等の発泡材を用いることができる。ヘッドレスト本体１０の表面１２には、頭部Ｈに対する滑り止め処理を施すことができ、本実施の形態においては、表面１２の全体にわたって小さな凹凸が形成されている。表面１２の下側には、長手方向にわたって切割溝１４が設けられており、この切割溝１４にはヘッドレスト本体１０の支持部材２０の嵌挿を案内する案内部１５と、ヘッドレスト本体１０の側面１３の略中央に位置しヘッドレスト本体１０が嵌挿すると同時にこれを抜止め状態で保持する保持部１７とが設けられている。案内部１５には、切割溝１４の開口から保持部１７に向かって案内面１６が外開きテーパ状に対向して形成されており、この対向する案内面１６の間隔は、保持部１７方向に向かって支持片２５の外径よりも幅狭となるように形成されている。一方、保持部１７は、支持片２５と略同径に形成されているとともに、常態においては保持部１７の開口（案内部１５との接続部）が支持片２５よりも幅狭となって、支持片２５からの抜止め状態を形成している。
【００１２】
支持部材２０は、一対の脚部２１とこの脚部２１から水平方向に向かって延設される支持片２５とから構成されている。この脚部２１はヘッドレスト本体１０の両側面１３の外側に位置する間隔を有し、この一対の脚部２１の上部からこれらを連結するようにして支持片２５が頭部外形に沿うような湾曲形状で延設されている。脚部２１の下端からは、浴槽本体５０への螺合を可能とする螺合部としてボルト部２２が突設されている。脚部２１はボルト部２２とともに回動可能となっており、支持片２５とは回動軸２３を介して連結状態が形成されている。なお、脚部２１，支持片２５は、ステンレス材，合成樹脂材等ヘッドレスト本体１０の支持可能な硬質素材を用いて成形することができ、表面には例えば金属材であればクロムメッキ加工をしておく等の防錆処理を施しておくことが好ましい。
【００１３】
ここで、本実施の形態における浴槽５は、浴槽本体５０，カバー６０，支持梁７０，排水機構８０，浴槽支持脚９０とから構成されている。
【００１４】
浴槽本体５０は、比較的浅底の細長形の洋式からなるものとすることができ、内面には、一方の短手側面に入浴者の入浴姿勢を楽にするため、身体を仰臥可能に傾斜した傾斜面５１が設けられている。傾斜面５１の傾斜角度は、浴槽底面に対して約１００〜１６０度の範囲で設定することができ、図示するように１２０度前後とするのが望ましい。この傾斜面５１の上部には、脚部２１の対応位置にボルト部２２との螺合状態を形成するナット部５５が埋設固定されている。また、この浴槽本体５０の内面の両長手側面には、入浴者の腕，手を載承するアームレスト５２と、入浴者が手を掛けるための把手５３とが設けられている。この浴槽本体５０は、浴槽製造材料として広範に利用されているステンレス材，ＦＲＰ（繊維強化合成樹脂材）等を用いて成形等により製造される。なお、ＦＲＰの主材として広範に使用されているポリエステルに代えてアクリル系の合成樹脂材にガラス繊維を強化したＦＲＡを使用することができる。ＦＲＡとしては、例えば三菱レイヨン社製の製品名「ＰＸ２００」を素材として用いることができる。通常使用する常温下（３９〜４５°Ｃ）においては耐湯性に優れ、ＪＩＳの熱可塑性プラスチック浴槽（ＪＩＳ−Ａ５７０９）やガラス繊維強化ポリエステル浴槽（ＪＩＳ−Ａ５７０４）に合格している。
【００１５】
カバー６０は、浴槽本体５０の天板面５０ａに嵌合組付けしやすいように上部開放の箱形からなるもので、側壁６１，底壁６２で浴槽本体５０の側面部，底面部を覆うようになっている。即ち、浴槽本体５０は天板面５０ａが外側へ断面略々コ字形に折曲され、天板面５０ａのリブ内側にカバー６０の天板面５０ａが係入して、溶着，接着等の手段で一体化される。上記カバー６０は、浴槽本体５０との二重構造を構成して、浴槽本体５０の側面部，底面部との間に側間隙部Ｓ２，底間隙部Ｓ３を形成し、特に浴槽本体の傾斜面５１側に大きな傾斜面間隙部Ｓ１を形成するようになっている。また、側壁６１の上部には、運搬の際に手掛けとなる把手６５を設けておくことができる。なお、このカバー６０は、浴槽本体５０と同材質とするのが製造上便利であるが、浴槽本体５０と異材質とすることも可能である。
【００１６】
支持梁７０は、角柱形から形成することができるもので、嵌合された浴槽本体５０の底面部とカバー６０の底壁６２の間に介装されてカバー６０の内部に浴槽本体５０を支持すると同時に、底間隙部Ｓ３を維持する。
【００１７】
排水機構８０は、浴槽本体５０の上部に開口されたオーバフロー口８１と、オーバフロー口８１に接続したオーバフロー管８２と、浴槽本体５０の底部に開口された排水口８３と、排水口８３に設けられた排水弁８４と、排水口８３に接続しカバー６０の底壁６２を貫通して配設された排水管８５とからなる。排水管８５はカバー６０の底壁６２に沿って曲げられ、開口が浴槽支持脚９０と交差している。なお、オーバフロー管８２は、排水管８５に分岐接続されている。
【００１８】
浴槽支持脚９０は、カバー６０の底壁６２に取り付けられカバー６０を介して前述の各部全体を設置面に支持する。この浴槽支持脚９０には、パイプ形，多孔質材の金属材，セラミック材等からなる硬質の耐荷重性のある制振構造が備えられている。浴槽支持脚９０は当接面９１をゴム等の制振材料から形成し、支柱部９２を金属材あるいはセラミック材から形成するのが望ましく、支柱部９２をねじ構造として床面の凹凸に対応して調整可能な構造にできる。なお、図示しないが、この浴槽支持脚９０を転動するキャスタ構造とすることができ、その場合には浴槽支持脚９０の位置に例えば４個のキャスターを取付けておくことにより、可搬性がより良好となる。
【００１９】
次に、浴槽用ヘッドレスト１の使用方法について説明する。まず、浴槽５の浴槽本体５０，カバー６０，支持梁７０，排水機構８０，浴槽支持脚９０を組付けておき、把手６５を介して運搬し、所望位置に設置しておく。ここで浴槽本体５０とカバー６０等の各部とが分離されているので、浴槽本体５０だけを浴槽用ヘッドレスト１の取付用に加工すれば良く、浴槽用ヘッドレスト１の取付用のナット部５５の埋設加工を容易に行うことができる。このナット部５５に向けて脚部２１のボルト部２２を位置させ、脚部２１を回動軸２２を介して回動させるとボルト部２２はナット部５５に対する螺合を開始し、浴槽本体５０の傾斜面５１に支持部材２０が取付けされる。
【００２０】
支持片２５の上方から湾曲形状に合わせてヘッドレスト本体１０の切割溝１４の開口を位置合わせし、そのままヘッドレスト本体１０を上方から押し込むと、支持片２５が案内面１６に案内されて切割溝１４への進入を開始する。このとき、案内面１６の対向間隔はヘッドレスト本体１０の弾性作用によって支持片２５の進入に合わせて拡開するので、支持片２５は保持部１７にまで至る（図４，図５）。この保持部１７に支持片２５が嵌挿すると、案内面１６の対向間隔は拡開状態が解除されることになる。したがって、保持部１７は、その開口となる案内面１６の対向間隔が支持片２５よりも幅狭の状態となるので、支持片２５は保持部１７に対して抜止め状態が形成される。そして、ヘッドレスト本体１０の浴槽本体５０への取付けが完了する。
【００２１】
この浴槽用ヘッドレスト１が取付けされた浴槽本体５０には、入浴者が入浴してもヘッドレスト本体１０が浸らない程度に湯水Ｗを貯えておくことができる。入浴者が入浴する際には、傾斜面５１に沿って仰臥した後、頭部Ｈをヘッドレスト本体１０の頭部当接部１１の湾曲形状に合わせて乗せる（図６）。これにより、入浴者は頭部Ｈがヘッドレスト本体１０に支持されるとともに顎を引いた状態が形成されるので、入浴姿勢がリラックスした状態となる。このとき、ヘッドレスト本体１０は弾性力を有しているので、頭部Ｈの重さはその弾性力によって吸収され、入浴者は頭部Ｈに対して無理な力を加える必要がなくなる。また、ヘッドレスト本体１０の表面１２には凹凸状の滑り止め処理が施されているので、頭部Ｈが傾斜面５１に合わせて下方に向けて滑り落ちるのを防ぐことができる。さらに、ヘッドレスト本体１０は円筒状を呈しているので頭部Ｈとはソフトな当接状態が形成される一方で、湾曲する支持片２５に嵌挿して保持されているので、頭部Ｈの上下方向への動きに合わせてヘッドレスト本体１０までもが回動することを防止できる。
【００２２】
一方、ヘッドレスト本体１０は、案内部１５を僅かに拡開させることにより、保持部１７の抜止め状態が解除されるので、この状態で上方に引っ張ることにより、支持片２５から取り外すことができる。これにより、ヘッドレスト本体１０は、一旦浴槽本体５０に取付けした後であっても洗浄が容易となり、さらにヘッドレスト本体１０を交換することも可能となる。
【００２３】
本実施の形態によれば、浴槽本体５０内の傾斜面５１の上部に浴槽用ヘッドレスト１を取付けすることによって、入浴者は身体を仰臥させるとともに頭部Ｈをヘッドレスト本体１０に乗せておくことができるので、全身を伸ばした状態に近づけることができる一方で頭部Ｈの顎の引いた状態をも形成でき、入浴時に入浴姿勢の楽な状態を維持することができる。
【００２４】
また、浴槽用ヘッドレスト１は、ヘッドレスト本体１０が支持部材２０からの着脱を容易に行うことができるので、頭部Ｈの当接するヘッドレスト本体１０の洗浄又は交換を容易に行うことができる。
【００２５】
また、ヘッドレスト本体１０は弾性力を有しているので、頭部Ｈの重さを吸収し、入浴者に無理な力を加える必要性をなくすことができる。さらに、ヘッドレスト本体１０の表面１２には頭部Ｈが下方に滑り落ちるのを防止するための滑り止め処理が施されており、しかもヘッドレスト本体１０を湾曲する支持片２５に嵌挿保持させて支持片２５に対するヘッドレスト本体１０の上下方向への回動が阻止されているので、長時間の入浴の際にも上記入浴姿勢の維持を可能にすることができる。
【００２６】
なお、支持部材２０について、図１０，図１１に示すように、浴槽本体５０の傾斜面５１に続く天板面５０ａに固着し、ヘッドレスト本体１０を頭部当接部１１が傾斜面５１の傾斜に沿うように取付けすることができる。これにより、入浴者の頭部Ｈが天板面５０ａから上方に向かって飛び出すような場合であっても、入浴者は身体の仰臥と同時に頭部Ｈの支持状態を形成することができる。特に、図示するように、ヘッドレスト本体１０の天板面５０ａからの高さ、天板面５０ａへの支持部材２０の固着位置等の変更によって、入浴者の姿勢や体型に応じて変化する頭部Ｈの位置に対応した支持状態の形成が可能となる。
【００２７】
また、ヘッドレスト本体１０については、図１２に示すように、ゴム材等の合成樹脂材等によりチューブ状に形成し、空気等の気体や水等の液体を注入することによって上記実施の形態と同様の形状に膨張する袋状に形成することができる。これにより、弾性力を有していると同時に、表面はゴム材で形成されているために処理を施すことなく滑り止め効果を得ることができる。
【００２８】
図７〜図９は、本発明に係る浴槽用ヘッドレストの他の実施の形態を示すものであり、ヘッドレスト本体１０に振動体を収容可能にする場合を示すものである。
【００２９】
ヘッドレスト本体１０の頭部当接部１１の反対面１８側には、電池駆動を行う振動体としてのバイブレータ４０を収容するための収容溝１９が形成されている。この収容溝１９は、バイブレータ４０の外径寸法に対して僅かに小径とされており、その深さはバイブレータ４０全体が収まる程度とされている。これにより、バイブレータ４０をその収容溝１９に押し込むと、バイブレータ４０はヘッドレスト本体１０の弾性力によって弾性保持される。したがって、収容溝１９に対するバイブレータ４０の着脱が容易であるため、電池交換を容易に行うことができる。
【００３０】
ちなみに、バイブレータ４０を収容溝１９に収容させる場合には、バイブレータ本体４１の上面側に設けられている円盤状のスイッチ部４２を外側に向けた状態で押し込む。これにより、スイッチ部４２をヘッドレスト本体１０の外部から操作することが可能となる。また、スイッチ部４２の表面積を大きくすることによって、その操作を極めて容易且つ確実に行うことができる。
【００３１】
ここで、バイブレータ４０は図９に示す構成とされている。すなわち、バイブレータ本体４１の底部には、電池４３を交換する際に開けられるスライド蓋４１ａが設けられている。電池４３からの電力は、リード線４３ａ，４３ｂと、スイッチ部４２の操作に応じてスライド動作を行うスライドスイッチ４４を介してモータ４５に与えられる。モータ４５は、緩衝ゴム４６を介してバイブレータ本体４１内部に保持されており、振動等によるズレ等の発生が抑えられるようになっている。モータ４５の両側部には、同一線に突き出した駆動軸４７ａ，４７ｂが設けられている。これらの駆動軸４７ａ，４７ｂには、偏心ロータ４８ａ，４８ｂが取り付けられている。これら偏心ロータ４８ａ，４８ｂの偏心位置は、互いに１８０度ずれた位置関係となっている。これにより、これら偏心ロータ４８ａ，４８ｂによる振動の波動の位相が１８０度ずれた関係となっている。そして、上記のスイッチ部４２を押し込むと、スライドスイッチ４４がオン側に移動し、モータ４５が駆動されることによって偏心ロータ４８ａ，４８ｂが回転し、振動が発生する。
【００３２】
脚部２１の下端からは、浴槽本体５０との取付けを可能にする弾性片２００が突設されている。この弾性片２００は、二股形に突出した脚部２０１と脚部２０１の先端に外側に向かって屈曲した係止部２０２とから成るもので、上方から浴槽本体５０に形成された係止孔５００に押し込まれることによって、浴槽本体５０に弾圧係止するようになっている。そして、係止部２０２の下側面はテーパ面２０２ａとして外側上方に向かう傾斜面として形成され、押し込み時の案内面として機能し、上側面は係止面２０２ｂとして係止孔５００の周縁部に係止して支持部材２０の係止状態を形成する。
【００３３】
以上のような構成の浴槽用ヘッドレスト１を使用するときには、脚部２１を浴槽本体５０にを押し込むことによって取付けすることができる。このとき、支持部材２０は、傾斜面５１に取付けする場合のみならず、上記実施の形態と同様に、天板面５０ａに取付けすることもできる。頭部Ｈをヘッドレスト本体１０に乗せた後、ヘッドレスト本体１０の収納溝１９に収められているバイブレータ４０の円盤状のスイッチ部４２をカバー体４１の上から押し下げる。これにより、スライドスイッチ４４がオン側に移動し、モータ４５が駆動されることによって偏心ロータ４８ａ，４８ｂが回転し、振動が与えられる。バイブレータ４０の駆動を停止させる場合には、スイッチ部４２を再度押し下げることで、スライドスイッチ４４がオフ側に戻され、モータ４５の駆動が停止される。
【００３４】
本実施の形態によれば、脚部２１の弾性片２００の弾圧構造を利用することによって、浴槽本体５０の係止孔５００に押し込んで容易に脚部２１を取付けすることができる。
【００３５】
また、ヘッドレスト本体１０に頭部Ｈを乗せ、バイブレータ４０を駆動させることによって、入浴中においても頭部Ｈに対して心地よい振動を与えることができ、マッサージ効果を与えることができる。
【００３６】
なお、図示しないが、バイブレータ４０の装着を終えた後、ヘッドレスト本体１０には、収容溝１９を覆うようにしてヘッドレスト本体１０の表面を巻回し、ファスナー，ホック等によって巻回状態を維持するカバー部材を装着させることができる。これにより、バイブレータ４０に湯水Ｗが飛散した場合のバイブレータ４０の濡れ損傷を防止することができる。
【００３７】
また、本実施の形態においては、マッサージ効果を付与するものとして振動体としてのバイブレータ４０を用いたが、これに限られず、例えば磁石等の磁気体をヘッドレスト本体１０に収容し、磁気の発生によってマッサージ効果を付与することもできる。さらに、ヘッドレスト本体１０に収容するのではなく、湾曲片２５を磁気体で形成することにより、ヘッドレスト本体１０に特別な加工を施すことなく、マッサージ効果を得ることが可能となる。
【００３８】
【発明の効果】
以上説明したように、本発明の浴槽用ヘッドレストによれば、浴槽本体の内面の傾斜面の上部近傍に該浴槽用ヘッドレストを取付けすることによって、入浴者は身体を仰臥させながら頭部をヘッドレスト本体に乗せることができる。したがって、入浴者は、全身を伸ばしたリラックスな状態に近づけることができるとともに、頭部は顎の引いた状態を形成することができるので、入浴時に入浴姿勢の楽な状態を形成，維持することができる。したがって、長時間の入浴であっても窮屈感を感じることはなく、快適な入浴空間を形成することができる。
【００３９】
また、ヘッドレスト本体を支持部材から着脱自在とすることによって、ヘッドレスト本体の洗浄，交換を容易に行うことができる。したがって、浴槽内の衛生管理にも配慮した設計とすることができる。
【００４０】
また、ヘッドレスト本体に弾性力をもたせることによって、頭部の重さを吸収して入浴者が無理な力を加える必要性をなくすことができる。また、ヘッドレスト本体の表面に滑り止め処理を施し、さらに水平方向に向かう支持部材の湾曲片に沿ってヘッドレスト本体の切割溝を嵌挿させ、ヘッドレスト本体の傾斜面の上下方向への回動を阻止することができるので、ヘッドレスト本体に乗せた頭部が傾斜面に沿って下方に向かって滑り落ちることが防止される。したがって、入浴中の安全面に配慮しつつ、入浴者は楽な入浴姿勢を維持し続けることができる。
【００４１】
さらに、振動体が収容されたヘッドレスト本体に頭部を乗せることによって、入浴中においても頭部に対して心地よい振動を与えることができ、入浴と同時にマッサージ効果を得ることができる。
【図面の簡単な説明】
【図１】本発明に係る浴槽用ヘッドレストの一実施の形態を示す斜視図である。
【図２】図１の実施の形態における浴槽用ヘッドレストを示す分解斜視図である。
【図３】図１の実施の形態における浴槽用ヘッドレストの浴槽本体への取付け状態を示す図である。
【図４】図１の実施の形態におけるヘッドレスト本体の取付け工程を示す断面図である。
【図５】図１に実施の形態におけるヘッドレスト本体の図４に続く取付け工程を示す断面図である。
【図６】図１の実施の形態における浴槽用ヘッドレストの使用状態を示す側面図である。
【図７】本発明に係る浴槽用ヘッドレストの他の実施の形態を示す分解斜視図である。
【図８】図７の実施の形態における浴槽用ヘッドレストの浴槽本体への取付け状態を示す断面図である。
【図９】図７の実施の形態におけるバイブレータの内部構成を示す図である。
【図１０】図１の浴槽用ヘッドレストにおいて、支持部材を天板面に取付けした状態を示す断面図である。
【図１１】図１の浴槽用ヘッドレストにおいて、支持部材を天板面に取付けした状態を示す断面図である。
【図１２】図１の浴槽用ヘッドレストのヘッドレスト本体の他の実施例を示す断面図である。
【符号の説明】
１       浴槽用ヘッドレスト
５       浴槽
１０     ヘッドレスト本体
１２   （ヘッドレスト本体の）表面
１４     切割溝
１５     案内部
１６     案内面
１７     保持部
２０     支持部材
２１     脚部
２５     支持片（湾曲片）
４０     バイブレータ（振動体）
５０     浴槽本体
５０ａ   天板面
５１     傾斜面
Ｈ       頭部
【図１】
0003705902.tif 000002
【図２】
0003705902.tif 000003
【図３】
0003705902.tif 000004
【図４】
0003705902.tif 000005
【図５】
0003705902.tif 000006
【図６】
0003705902.tif 000007
【図７】
0003705902.tif 000008
【図８】
0003705902.tif 000009
【図９】
0003705902.tif 000010
【図１０】
0003705902.tif 000011
【図１１】
0003705902.tif 000012
【図１２】
0003705902.tif 000013